(57)【要約】【課題】モバイル機器１に対するハードウエアやソフトウエアリソースの大きな負担を強いることなく、プリンタ装置２が印刷出力するＷｅｂコンテンツ４のイメージをユーザに通知する。【解決手段】プリンタ装置２が、ユーザが使用するモバイル機器１からの指定に応じて、該当するＷｅｂコンテンツ４をネットワークにアクセスして取得し、当該取得したＷｅｂコンテンツをユーザから指定されたイメージデータ形式に変換し、当該変換したＷｅｂコンテンツのイメージデータをモバイル機器１に送信し、モバイル機器１が、プリンタ装置２から受信したＷｅｂコンテンツイメージを表示出力し、当該Ｗｅｂコンテンツに対するユーザからの印刷指示を受け付けてプリンタ装置２に送信し、プリンタ装置２がＷｅｂコンテンツを変換したイメージデータ形式で印刷する。【選択図】  図１
2005038034.tif 000002
【特許請求の範囲】
【請求項１】
ユーザが使用するユーザコンピュータ機器からの指定に応じて、該当するＷｅｂコンテンツをプリンタ装置で印刷出力するプリンタシステムにおいて、
ユーザコンピュータ機器は、ユーザからの入力を受け付ける入力部と、プリンタ装置と情報通信するためのインタフェース機能部と、プリンタ装置から受信したＷｅｂコンテンツイメージを表示出力する出力部と、を有し、
プリンタ装置は、ユーザコンピュータ機器と情報通信するためのインタフェース機能部と、ユーザコンピュータ機器からの指定に応じて該当するＷｅｂコンテンツを取得するネットワーク機能部と、取得したＷｅｂコンテンツをユーザコンピュータ機器からの指定に応じて指定されたイメージデータ形式に変換するイメージ展開機能部と、を有して、
プリンタ装置は、当該変換したＷｅｂコンテンツのイメージデータをインタフェース機能部によりユーザコンピュータ機器に送信することを特徴とするプリンタシステム。
【請求項２】
請求項１に記載のプリンタシステムにおいて、
プリンタ装置は、Ｗｅｂコンテンツイメージのデータ形式変換に関する指定欄及び当該Ｗｅｂコンテンツに関する指定欄を含む指定受付フォームを保持する記憶部を有して、インタフェース機能部により当該指定受付フォームをユーザコンピュータ機器に提供し、
ユーザコンピュータ機器は、受信した指定受付フォームを出力部で表示出力して入力部からのユーザによる指定を受け付け、当該指定入力がされた指定受付フォームをインタフェース機能部によりプリンタ装置に送信することを特徴とするプリンタシステム。
【請求項３】
請求項１又は請求項２に記載のプリンタシステムにおいて、
ユーザコンピュータ機器は、Ｗｅｂコンテンツにアクセスして当該Ｗｅｂコンテンツイメージを出力部に表示出力するブラウザ機能部を有し、当該ＷｅｂコンテンツのＵＲＬにより取得すべきＷｅｂコンテンツをプリンタ装置に指定することを特徴とするプリンタシステム。
【請求項４】
ユーザが使用するユーザコンピュータ機器からの指定に応じて、該当するＷｅｂコンテンツを取得して印刷出力するプリンタ装置において、
ユーザコンピュータ機器と情報通信するためのインタフェース機能部と、ユーザコンピュータ機器からの指定に応じて該当するＷｅｂコンテンツを取得するネットワーク機能部と、取得したＷｅｂコンテンツをユーザコンピュータ機器からの指定に応じて指定されたイメージデータ形式に変換するイメージ展開機能部と、を有し、当該変換したＷｅｂコンテンツのイメージデータをインタフェース機能部によりユーザコンピュータ機器に送信することを特徴とするプリンタ装置。
【請求項５】
請求項４に記載のプリンタ装置において、
Ｗｅｂコンテンツイメージのデータ形式変換に関する指定欄及び当該Ｗｅｂコンテンツに関する指定欄を含む指定受付フォームを保持する記憶部を有して、インタフェース機能部により当該指定受付フォームをユーザコンピュータ機器に提供し、
ユーザコンピュータ機器により指定入力がされた指定受付フォームをインタフェース機能部により受信して、当該指定受付フォームにより指定されたＷｅｂコンテンツをネットワーク機能部により取得し、当該取得したＷｅｂコンテンツを当該指定受付フォームにより指定されたイメージデータ形式にイメージ展開機能部により変換することを特徴とするプリンタ装置。
【請求項６】
Ｗｅｂコンテンツのプリント方法において、
プリンタ装置が、ユーザが使用するユーザコンピュータ機器からの指定に応じて、該当するＷｅｂコンテンツをネットワークにアクセスして取得し、当該取得したＷｅｂコンテンツを指定されたイメージデータ形式に変換し、当該変換したＷｅｂコンテンツのイメージデータをユーザコンピュータ機器に送信し、
ユーザコンピュータ機器が、プリンタ装置から受信したＷｅｂコンテンツイメージを表示出力し、当該Ｗｅｂコンテンツに対するユーザからの印刷指示を受け付けてプリンタ装置に送信し、
プリンタ装置が、印刷指示されたＷｅｂコンテンツを変換したイメージデータ形式で印刷することを特徴とするプリント方法。
【発明の詳細な説明】
【０００１】
【発明の属する技術分野】
本発明は、ネットワーク上のＷｅｂコンテンツをユーザコンピュータ機器からの要求に応じてプリンタ装置が印刷出力するプリンタシステムに関し、特に、印刷するＷｅｂコンテンツのイメージをユーザコンピュータ機器（すなわち、ユーザに）に通知することを可能にした技術に関する。
【０００２】
【従来の技術】
現在、インターメット等のネットワークに接続可能なコンピュータ機器においては、大多数の機器がブラウザと呼ばれるホームページ閲覧アプリケーションが標準で搭載されており、ユーザはコンピュータ機器を使用してネットワーク上の所望のＷｅｂコンテンツにアクセスして、これをコンピュータ機器のディスプレイに画面表示して閲覧することができるようになっている。
より具体的には、パーソナルコンピュータと呼ばれるユーザコンピュータ機器のみならず、ＰＤＡや携帯電話機等の小型モバイル機器と呼ばれるユーザコンピュータ機器を使用して、有線通信又は無線通信によりインターネット上のＷｅｂコンテンツを閲覧することができる。
【０００３】
このようなネットワーク環境の中で、全てのユーザコンピュータ機器に潤沢なハードウエア（ＣＰＵ、メモリ、ディスプレイ等）やソフトウエア（各種デバイスドライバ、ユーティリティ等）のリソースが確保できるわけではなく、特に、小型モバイル機器においては、全てのプリンタ装置に対応したプリンタドライバの実装が困難な状況がある。すなわち、小型モバイル機器では特にハードウエアやソフトウエアリソースが制限されることから、プリンタ装置の機種毎に全てのドライバを準備提供することが現実的には困難である。
【０００４】
このようにプリンタドライバを実装できない小型モバイル機器による印刷処理の解決手段として、現在、ブラウザで標準言語として使用されているｅＸｔｅｎｓｉｂｌｅ  Ｍａｒｋｕｐ  Ｌａｎｇｕａｇｅ（ＸＭＬ）のモバイル機器向け拡張仕様であるｅＸｔｅｎｓｉｂｌｅ  Ｈｙｐｅｒｔｅｘｔ  Ｍａｒｋｕｐ  Ｌａｎｇｕａｇｅ−  （ＸＨＴＭＬ−Ｂａｓｉｃ）、その印刷用途向けスーパーセットとして検討されているＸＨＴＭＬ−Ｐｒｉｎｔ仕様というものが知られている（非特許文献１参照。）。
【０００５】
【非特許文献１】
ＩＥＥＥ、ＸＨＴＭＬ―ＰｒｉｎｔＷｏｒｋｉｎｇＧｒｏｕｐ、インターネット＜ｈｔｔｐ：／／ｗｗｗ．ｐｗｇ．ｏｒｇ／ｘｈｔｍｌ−ｐｒｉｎｔ／ｗｇ−ｈｏｍｅ．ｈｔｍｌ＞
【０００６】
【発明が解決しようとする課題】
しかしながら、ＸＨＴＭＬ−Ｐｒｉｎｔでは、その仕様自体の寛容性から、期待したものとは異なる印刷結果となることが許容されており、ユーザコンピュータ機器のブラウザで画面表示してユーザが見ている（期待している）Ｗｅｂコンテンツのイメージと異なった形態のコンテンツ印刷物がプリンタ装置から印刷出力されるという問題がある。すなわち、ユーザがユーザコンピュータ機器の画面上で見たＷｅｂコンテンツと印刷出力された印刷物上のＷｅｂコンテンツとが異なるイメージとなってしまうという問題がある。
このように画面イメージと印刷イメージとの相違はユーザにとって予期しないものであるので、何らかの対策が要請されていた。
【０００７】
また、例えば、小型モバイル機器からの要求に応じて店舗等に設置されたプリンタ装置が指定要求されたＷｅｂコンテンツを印刷出力するといった有料サービスに適用することを考えると、ユーザに対して事前に印刷イメージを通知する対策の必要がある。
しかしながら、ユーザに印刷されるイメージを予め通知する手段を提供しようとすると、接続するプリンタ装置毎に固有の機能を追加しなければならず、装置毎に機能を追加することによって多くのハードウエアやソフトウエアリソースが必要になるという問題が生じてしまう。
【０００８】
本発明は、上記従来の事情に鑑みなされたもので、ユーザコンピュータ機器に対するハードウエアやソフトウエアリソースの大きな負担を強いることなく、印刷出力されるＷｅｂコンテンツイメージのユーザに対する通知を実現することを目的としている。
なお、本発明の更なる目的は、以下に説明するところにより明らかである。
【０００９】
【課題を解決するための手段】
本発明の１つの態様としては、プリンタ装置が、ユーザが使用するユーザコンピュータ機器からの指定に応じて、該当するＷｅｂコンテンツをネットワークにアクセスして取得し、当該取得したＷｅｂコンテンツをユーザから指定されたイメージデータ形式に変換し、当該変換したＷｅｂコンテンツのイメージデータをユーザコンピュータ機器に送信し、そして、ユーザコンピュータ機器が、プリンタ装置から受信したＷｅｂコンテンツイメージを表示出力し、当該Ｗｅｂコンテンツに対するユーザからの印刷指示を受け付けてプリンタ装置に送信し、これによって、プリンタ装置が、印刷指示されたＷｅｂコンテンツを変換したイメージデータ形式で印刷するプリント方法を実現する。
【００１０】
また、本発明のプリントシステムは、上記のようなプリント方法を実現することが可能であり、ユーザコンピュータ機器は、ユーザからの入力を受け付ける入力部と、プリンタ装置と情報通信するためのインタフェース機能部と、プリンタ装置から受信したＷｅｂコンテンツイメージを表示出力する出力部と、を有し、プリンタ装置は、ユーザコンピュータ機器と情報通信するためのインタフェース機能部と、ユーザコンピュータ機器からの指定に応じて該当するＷｅｂコンテンツを取得するブラウザ等のネットワーク機能部と、取得したＷｅｂコンテンツをユーザコンピュータ機器からの指定に応じて指定されたイメージデータ形式に変換するイメージ展開機能部と、を有して、プリンタ装置は、当該変換したＷｅｂコンテンツのイメージデータをインタフェース機能部によりユーザコンピュータ機器に送信する。
【００１１】
したがって、プリンタ装置から送られてきたＷｅｂコンテンツイメージによりユーザは印刷されるＷｅｂコンテンツの形態を確認することができる。そして、本発明では、この印刷イメージの通知と並行してプリンタ装置は変換したＷｅｂコンテンツを印刷出力するようにしてもよいが、好ましくは、当該印刷されるイメージで良ければユーザがユーザコンピュータ機器から印刷処理をプリンタ装置に指示し、これに応じて、プリンタ装置が変換したＷｅｂコンテンツを印刷出力する。
【００１２】
ここで、ユーザコンピュータ機器とプリンタ装置とのインタフェース機能部は、通信ケーブルにより通信接続する有線形式であっても、無線電波や光によって通信接続する無線形式であってもよい。
また、本発明は、ユーザコンピュータ機器としてハードウエアやソフトウエアリソースの能力が比較的制限されるモバイル機器に適用するのが好適であるが、一般のパーソナルコンピュータ等といったようにユーザが使用するコンピュータ機器全般に適用することができる。
【００１３】
また、本発明に係るプリンタ装置は、Ｗｅｂコンテンツイメージのデータ形式変換に関する指定欄及び当該Ｗｅｂコンテンツに関する指定欄を含む指定受付フォームを保持する記憶部を有して、インタフェース機能部により当該指定受付フォームをユーザコンピュータ機器に提供するのが好ましい。これにより、ユーザコンピュータ機器は、受信した指定受付フォームを出力部で表示出力して入力部からのユーザによる指定を受け付け、当該指定入力がされた指定受付フォームをインタフェース機能部によりプリンタ装置に送信することにより、ユーザの指定操作が極めて簡単な態様で、上記のようなプリンタ装置からのＷｅｂコンテンツイメージの通知を得ることができる。
なお、本発明では、このような指定受付フォームを用いずに、プリンタ装置に対して必要な指定をするようにしてもよい。
【００１４】
そして更に、本発明に係るユーザコンピュータ機器は、Ｗｅｂコンテンツにアクセスして当該Ｗｅｂコンテンツイメージを出力部に表示出力するブラウザ機能部を有し、当該ＷｅｂコンテンツのＵＲＬにより取得すべきＷｅｂコンテンツをプリンタ装置に指定するようにするのが好ましい。
なお、本発明では、ユーザが所望のＷｅｂコンテンツＵＲＬをユーザコンピュータ機器に入力して、プリンタ装置に取得させるようにしてもよいが、ブラウザ機能部でユーザが閲覧したＷｅｂコンテンツのＵＲＬをプリンタ装置に自動的に指定できるようにすることにより、更にユーザ操作性が向上する。
【００１５】
【発明の実施の形態】
本発明を実施例に基づいて具体的に説明する。
図１に示すように、本例のプリントシステムは、ユーザコンピュータ機器として携帯電話機１ａやＰＤＡ１ｂといったモバイル機器１に適用したものであり、このモバイル機器１は、基地局３との無線通信を介してインターネットに接続可能で、ユーザが指定したネットワーク上のＷｅｂコンテンツ４を閲覧可能である。なお、モバイル機器１は、基地局３を介さずに、公衆ネットワークに有線接続してインターネットにアクセスすることも可能である。
また、モバイル機器１は有線又は無線によりプリンタ装置２に接続可能であり、このプリンタ装置２は、基幹ネットワークを介してインターネットに接続可能で、後述するようにユーザが指定したネットワーク上のＷｅｂコンテンツ４を取得可能である。
【００１６】
これらモバイル機器１とプリンタ装置２は、図２、図３及び図５に示すように、Ｗｅｂコンテンツの印刷処理に係る機能構成を有している。
なお、モバイル機器１とプリンタ装置２は、これら機能構成以外にも通信機能、情報処理機能、印刷機能等といったそれぞれの目的を達成するための一般的な構成も勿論有している。
【００１７】
モバイル機器１は、表示画面を有する出力部１ｃ、ユーザからの操作入力を受け付けるボタン等を有する入力部１ｄ、インターネットに接続することのできるネットワーク機能１１、ネットワーク機能１１を介してインターネット上のＷｅｂコンテンツ４にアクセスしてそのページ情報を表示画面１ｃに表示することのできるブラウザ機能１３、プリンタ装置２と有線又は無線接続して情報の授受が可能なインタフェース機能１２を備えている。
【００１８】
プリンタ装置２は、モバイル機器１と有線又は無線接続して相互に情報を授受可能なインタフェース機能２２、基幹ネットワークを介してインターネット上のＷｅｂコンテンツ４にアクセスしてそのページ情報を取得可能なネットワーク機能２１、モバイルデバイス１に提供する指定受付フォームを保持している記憶装置２３、ネットワーク機能２１が取得したＷｅｂページデータを指定受付フォーム２４によってユーザ指定した各種イメージファイルフォーマットに変換するイメージ展開機能２５を備えている。
【００１９】
ここで、指定受付フォーム２４はモバイルデバイス１のブラウザ機能１３によって表示可能なデータであり、ユーザは入力部１ｄから後述するように所望のＵＲＬ等のＷｅｂコンテンツに関する指定やＷｅｂコンテンツイメージのデータ変換形式に関する指定を指定受付フォーム２４上で行ってプリンタ装置２に送信し、プリンタ装置２は指定受付フォーム２４によってユーザ指定されたＵＲＬ情報から基幹ネットワークを介して該当するＷｅｂページデータを取得し、指定受付フォーム２４によってユーザ指定されたデータ形式に当該取得したＷｅｂコンテンツデータを変換してモバイル機器１に送信する。
【００２０】
本例のプリンタシステムでは、次のような処理がなされる。
プリンタ装置２の記憶装置２３にモバイル機器１がブラウザ機能１３によってアクセス可能な指定受付フォームデータ２４を予め用意しておく。そして、或るＷｅｂページを印刷したいユーザは、モバイル機器１のブラウザ機能１３を使って指定受付フォーム２４にアクセスし、印刷用紙のサイズや印刷部数等と共に、モバイル機器１が表示可能なイメージデータ形式等を含むデータ形式変換に関する情報、ＷｅｂコンテンツのＵＲＬ等を含むＷｅｂコンテンツに関する情報を指定受付フォーム２４に登録してプリンタ装置２に送信する。
【００２１】
プリンタ装置２は、指定受付フォーム２４に記入されている印刷要求ページのＵＲＬ情報からそのＷｅｂページ情報を自ら取得して、ユーザ指定にしたがったデータ形式で実際の印刷イメージに描画展開し、当該描画展開したＷｅｂコンテンツを要求元のモバイル機器１に送信する。
モバイル機器１では、描画展開されたＷｅｂコンテンツをプリンタ装置２から受信して画面表示し、ユーザに対して、印刷されるＷｅｂコンテンツのイメージを提示する。これにより、ユーザはどのような形態でＷｅｂコンテンツが印刷されるかを知ることができる。
【００２２】
なお、本例では、提示されたＷｅｂコンテンツの印刷イメージに対してユーザが印刷指示をすることによりプリンタ装置２が印刷処理を開始する事前通知としているが、このユーザ通知と同時に印刷処理をする又は印刷処理の後にユーザ通知をするといった態様であってもよく、これによっても、印刷物を受け取る前にユーザはその印刷物の印刷イメージを把握することができる。
【００２３】
図７には本例に係る処理手順を示してあり、図２〜図６を適宜参照して本例に係る処理動作を詳しく説明する。
ユーザがモバイル機器１のブラウザ機能を使用してＷｅｂコンテンツを検索して、或いは、通人から知得する等の他の方法で、或るＵＲＬのＷｅｂコンテンツを印刷したいと思った場合、図２に示すように、ユーザはモバイル機器１のブラウザ機能１３の参照アドレス１４にプリンタ装置２のフォームデータのアドレス（本例では、ｈｔｔｐ：／／ｆｏｒｍ．ｐｒｉｎｔ．ｃｏｍ）を入力し、モバイル機器１のインタフェース機能１２を介してプリンタ装置２にアクセスし（ステップＳ１）、その記憶装置２３に予め保持されている指定受付フォーム２４を取得してブラウザ機能１３によってフォームデータ２４の内容を画面１ｃに表示させる（ステップＳ２）。
【００２４】
そして、図３に示すように、画面表示された指定受付フォーム２４に対して、ユーザが入力部１ｄから所望のＷｅｂコンテンツ４のＵＲＬ情報（本例では、ｈｔｔｐ：／／ｉｍａｇｅ．ｐｒｉｎｔ．ｃｏｍ）、印刷設定情報、その他種々の情報を入力して、その指定情報をインタフェース機能１２によりプリンタ装置２へ送信する（ステップＳ３）。この指定に応じて、プリンタ装置２はネットワーク機能２１により指定されたＵＲＬにアクセスし（ステップＳ４）、そのＷｅｂコンテンツデータ（Ｗｅｂコンテンツ４の表示に必要となるＸＭＬや画像のデータ）を取得する（ステップＳ５）。
【００２５】
本例では、図４に示すように、指定受付フォーム２４には、印刷対象のＷｅｂコンテンツＵＲＬを入力指定する欄３０、印刷用紙のサイズや印刷形式を入力指定する欄３１、印刷部数を入力指定する欄３２、モバイル機器１が表示可能なデータ形式としてのＷｅｂコンテンツのデータ変換形式を入力指定する欄（表示方法）３３、変換したＷｅｂコンテンツデータをモバイル機器１へ送信する際のファイル名を入力指定する欄３４、当該変換したＷｅｂコンテンツデータの送信先アドレスを入力指定する欄３５、これら指定入力された指定受付フォーム２４をプリンタ装置２に送信するための送信ボタン３６、更には、変換したＷｅｂコンテンツデータの印刷処理指示をプリンタ装置２に送信するための印刷ボタン３７が設けられている。
【００２６】
なお、送信先アドレスは、一般的には印刷要求元のモバイル機器１のアドレスが入力されるが、他のアドレスを指定入力すれば、当該アドレスのユーザコンピュータ機器により変換されたＷｅｂコンテンツの表示確認やその印刷指示を行うことができる。
また、ＵＲＬ欄３０の指定記述は、その都度、ユーザが入力部１ｄから入力するようにしてもよいが、同じモバイル機器１で閲覧したＷｅｂコンテンツを印刷する場合には、当該閲覧したＷｅｂコンテンツＵＲＬをブラウザ機能１３が保持しておき、これをＵＲＬ欄３０に自動的に記入するようにしてもよい。
【００２７】
次いで、図５に示すように、プリンタ装置２が取得したＷｅｂコンテンツデータをイメージ展開機能２５が指定受付フォーム２４の表示方法３３によって指定されたデータ形式に変換し（ステップＳ６）、当該変換したＷｅｂコンテンツデータをインタフェース機能２２によって指定された送付先アドレスのモバイル機器１に送信する（ステップＳ７）。
そして、モバイル機器１では、ブラウザ機能１３によりプリンタ装置２から受信したＷｅｂコンテンツイメージを画面表示してユーザに提示し、ユーザが入力部１ｄから指示してブラウザ機能１３により上記と同様にして指定受付フォーム２４を画面表示して、印刷ボタン３７を押下すると、当該印刷指示がプリンタ装置２にインタフェース機能１２により送信される（ステップＳ８）。
【００２８】
そして、この印刷指示を受信すると、プリンタ装置２は該当する変換済みＷｅｂコンテンツページの印刷を行う（ステップＳ９）。
すなわち、図６に示すように、プリンタ装置２はインターネット上から取得したＷｅｂコンテンツページ４０をイメージ展開機能２５によりイメージ４１のように変換すると、この変換されたＷｅｂコンテンツイメージがモバイル機器１の画面に表示され、また、この変換されたＷｅｂコンテンツイメージで印刷物が出力される。したがって、モバイル機器１のユーザが確認したイメージと同じイメージでＷｅｂコンテンツが印刷出力される。
【００２９】
図８にはＷｅｂコンテンツページの通常のイメージを示し、図９にはモバイル機器１で表示可能なデータ形式変換して実際にプリンタ装置２で印刷されるＷｅｂコンテンツページのイメージを示してある。
図８に示すようなイメージで表示されるべきＷｅｂコンテンツデータも、ある特定のプリンタ装置では図９に示すようなイメージでしか表示出力（ＸＴＭＬやＨＴＭＬもしくはＸＨＴＭＬ−Ｐｒｉｎｔ言語から印刷イメージを生成）できない場合があるが、上記本発明に係るプリントシステムによると、プリンタ装置２がこのモバイル機器１で閲覧しているイメージ（図９）のＸＴＭＬやＨＴＭＬもしくはＸＨＴＭＬ−Ｐｒｉｎｔ言語や画像情報から、実際に印刷可能なイメージデータ形式にＷｅｂコンテンツを変換処理し、当該変換した形式で印刷する旨をモバイル機器１に対して予め画像情報として通知するので、ユーザはどのようなイメージで印刷されるのかを了解した状態で印刷物を手にすることができる。
【００３０】
【発明の効果】
以上説明したように、本発明によると、プリンタ装置がユーザコンピュータ機器に対して予め閲覧しているＷｅｂコンテンツを実際に印刷されるイメージデータに変換し、それをユーザコンピュータ機器に通知するようにしたため、ユーザコンピュータ機器に対するハードウエアやソフトウエアリソースの大きな負担を強いることなく、ユーザに実際にプリンタ装置から印刷出力されるＷｅｂコンテンツのイメージを認知させることができる。
【図面の簡単な説明】
【図１】本発明の一実施例に係るシステム構成図である。
【図２】本発明の一実施例に係るモバイル機器及びプリンタ装置の構成及び動作を説明する図である。
【図３】本発明の一実施例に係るモバイル機器及びプリンタ装置の構成及び動作を説明する図である。
【図４】本発明の一実施例に係る指定受付フォームを説明する図である。
【図５】本発明の一実施例に係るモバイル機器及びプリンタ装置の構成及び動作を説明する図である。
【図６】本発明の一実施例に係る変換前と変換後のＷｅｂコンテンツイメージを説明する図である。
【図７】本発明の一実施例に係る処理動作手順を説明する図である。
【図８】データ形式変換前のＷｅｂコンテンツイメージ例を示す図である。
【図９】データ形式変換後のＷｅｂコンテンツイメージ例を示す図である。
【符号の説明】
１：モバイル機器（ユーザコンピュータ機器）、
１ｃ：表示画面（出力部）、
１ｄ：入力部、
２：プリンタ装置、
４：Ｗｅｂコンテンツ、
１１：ネットワーク機能、
１２：インタフェース機能、
１３：ブラウザ機能、
２１：ネットワーク機能、
２２：インタフェース機能、
２３：記憶部、
２４：指定受付フォーム、
２５：イメージ展開機能、
【図１】
2005038034.tif 000003
【図２】
2005038034.tif 000004
【図３】
2005038034.tif 000005
【図４】
2005038034.tif 000006
【図５】
2005038034.tif 000007
【図６】
2005038034.tif 000008
【図７】
2005038034.tif 000009
【図８】
2005038034.tif 000010
【図９】
2005038034.tif 000011